(57)【要約】【課題】物品の在庫が不足している場合に代替可能な互換品を対応させる在庫管理を実現できる互換品対応装置、互換品対応方法、及び互換品対応プログラムを提供することを課題とする。【解決手段】本実施形態では、在庫管理情報を参照して入力された物品識別情報で特定される物品の在庫の有無を検索し、在庫検索部の検索によって当該物品の在庫が無いという結果が得られた場合は、当該物品の物品識別情報に基づいて互換品管理情報を参照して当該物品の互換品の物品識別情報を検索し、在庫管理情報を参照して互換品検索部の検索によって得られた互換品の物品識別情報で特定される物品の在庫の有無を検索し、結果を表示させる。【選択図】図４
2017168072.tif 000002
【特許請求の範囲】
【請求項１】
制御部と記憶部とを備えた互換品対応装置であって、
前記記憶部は、
物品識別情報と当該物品識別情報で特定される物品の在庫数を含む在庫管理情報と、
互換品が存在する物品の物品識別情報と当該互換品の物品識別情報とを含む互換品管理情報と、
を格納し、
前記制御部は、
前記在庫管理情報を参照して、入力された物品識別情報で特定される物品の在庫の有無を検索する物品在庫検索手段と、
前記物品在庫検索手段の検索によって当該物品の在庫が無いという結果が得られた場合は、当該物品の物品識別情報に基づいて前記互換品管理情報を参照して、当該物品の互換品の物品識別情報を検索する互換品情報検索手段と、
前記在庫管理情報を参照して、前記互換品情報検索手段の検索によって得られた互換品の物品識別情報で特定される物品の在庫の有無を検索する互換品在庫検索手段と、
を備える、
ことを特徴とする互換品対応装置。
【請求項２】
前記互換品管理情報は、片方互換を意味する情報及び相互互換を意味する情報のいずれかが設定される互換品の互換性格情報を更に含み、
前記片方互換とは、２つの物品の関係が、一方の物品の互換品は他方の物品であり且つ当該他方の物品の互換品は当該一方の物品ではないという関係にあることを意味し、
前記相互互換とは、２つの物品の関係が、一方の物品の互換品は他方の物品であり且つ当該他方の物品の互換品は当該一方の物品であるという関係にあることを意味し、
前記互換品情報検索手段は、前記互換品在庫検索手段の検索によって在庫が無いという結果が得られた場合は、前記互換品管理情報を参照して、当該在庫が無い物品の互換品の物品識別情報であって当該互換品の互換性格情報に前記相互互換を意味する情報が設定されているものを検索する、
ことを特徴とする請求項１に記載の互換品対応装置。
【請求項３】
前記互換性格情報は、前記片方互換を意味する情報、前記相互互換を意味する情報及び条件付互換を意味する情報のいずれかが設定されるものであり、
前記条件付互換は、或る物品に対して当該或る物品と互換可能な、複数の物品の組み合わせが存在することを意味し、
前記記憶部は、物品の物品識別情報と、当該物品と互換可能な、複数の物品の組み合わせを構成する各物品の物品識別情報とを含む条件付互換品管理情報を更に格納し、
前記互換品情報検索手段は、前記在庫が無い物品の互換品の互換性格情報に前記条件付互換を意味する情報が設定されていた場合は、前記在庫が無い物品の物品識別情報に基づいて前記条件付互換品管理情報を参照して、当該物品と紐付く複数の物品の物品識別情報を検索する、
ことを特徴とする請求項２に記載の互換品対応装置。
【請求項４】
前記互換品管理情報は、互換品が存在する基準物品の物品識別情報と、当該基準物品を互換品としていた当該基準物品の一世代前の物品の物品識別情報及び互換性格情報と、当該基準物品の一世代後の互換品の物品識別情報及び互換性格情報と、を含むものである、
ことを特徴とする請求項１〜３のいずれか一項に記載の互換品対応装置。
【請求項５】
表示部を更に備え、
前記制御部は、
前記互換品在庫検索手段による互換品在庫検索結果、及び、互換品在庫検索に切り替えた旨の通知を前記表示部に示す表示実行手段を更に備える、
ことを特徴とする請求項１〜４のいずれか一項に記載の互換品対応装置。
【請求項６】
前記表示実行手段は、前記物品在庫検索手段による物品在庫検索結果を前記表示部に更に示す、
ことを特徴とする請求項５に記載の互換品対応装置。
【請求項７】
前記物品は、機械の部品である、
ことを特徴とする請求項１〜６のいずれか一項に記載の互換品対応装置。
【請求項８】
制御部と記憶部とを備えた情報処理装置で実行される互換品対応方法であって、
前記記憶部は、
物品識別情報と当該物品識別情報で特定される物品の在庫数を含む在庫管理情報と、
互換品が存在する物品の物品識別情報と当該互換品の物品識別情報とを含む互換品管理情報と、
を格納し、
前記制御部で実行される、
前記在庫管理情報を参照して、入力された物品識別情報で特定される物品の在庫の有無を検索する物品在庫検索ステップと、
前記物品在庫検索ステップによって当該物品の在庫が無いという結果が得られた場合は、当該物品の物品識別情報に基づいて前記互換品管理情報を参照して、当該物品の互換品の物品識別情報を検索する互換品情報検索ステップと、
前記在庫管理情報を参照して、前記互換品情報検索ステップによって得られた互換品の物品識別情報で特定される物品の在庫の有無を検索する互換品在庫検索ステップと、
を含む、
ことを特徴とする互換品対応方法。
【請求項９】
制御部と記憶部とを備えた情報処理装置に実行させるための互換品対応プログラムであって、
前記記憶部は、
物品識別情報と当該物品識別情報で特定される物品の在庫数を含む在庫管理情報と、
互換品が存在する物品の物品識別情報と当該互換品の物品識別情報とを含む互換品管理情報と、
を格納し、
前記制御部に実行させるための、
前記在庫管理情報を参照して、入力された物品識別情報で特定される物品の在庫の有無を検索する物品在庫検索ステップと、
前記物品在庫検索ステップによって当該物品の在庫が無いという結果が得られた場合は、当該物品の物品識別情報に基づいて前記互換品管理情報を参照して、当該物品の互換品の物品識別情報を検索する互換品情報検索ステップと、
前記在庫管理情報を参照して、前記互換品情報検索ステップによって得られた互換品の物品識別情報で特定される物品の在庫の有無を検索する互換品在庫検索ステップと、
を含む、
ことを特徴とする互換品対応プログラム。
【発明の詳細な説明】
【技術分野】
【０００１】
本発明は、互換品対応装置、互換品対応方法、及び互換品対応プログラムに関する。
【背景技術】
【０００２】
物品管理に関する従来技術として、例えば特許文献１が挙げられる。特許文献１には、第１無線タグに記憶された付属品と互換性のある互換品を特定する互換情報と、第２無線タグに記憶された情報とが照合され、付属品が欠品の際に第２無線タグから読み出した情報が互換情報に一致すると互換品により欠品ではなく互換品があると判断して欠品がないことや互換品により補填されていることが報知される、物品管理装置が開示されている。
【先行技術文献】
【特許文献】
【０００３】
【特許文献１】特開２００５−２１５９５９号公報
【発明の概要】
【発明が解決しようとする課題】
【０００４】
しかしながら、従来技術では、部品同士の関連性と、部品不足時の互換品への変更はマスタデータテーブル化／システム化が困難であり、実現できていなかった。その為、在庫が不足した際には、代わりに使用できる部品がないかを毎回調べ、互換品があった場合はその在庫を再度確認し、在庫があれば代わりの部品を使用するなどと対応していた。また、例えば、部品点数が多い自動車製造業などの機械製造業における部品の互換品管理において、従来の受注管理システムでは、互換品の管理までシステム管理していなかった。
【０００５】
本発明は、上記問題点に鑑みてなされたものであって、物品の在庫が不足している場合に代替可能な互換品を対応させる在庫管理を実現できる互換品対応装置、互換品対応方法、及び互換品対応プログラムを提供することを目的とする。
【課題を解決するための手段】
【０００６】
上述した課題を解決し、目的を達成するために、本発明に係る互換品対応装置は、制御部と記憶部とを備えた互換品対応装置であって、前記記憶部は、物品識別情報と当該物品識別情報で特定される物品の在庫数を含む在庫管理情報と、互換品が存在する物品の物品識別情報と当該互換品の物品識別情報とを含む互換品管理情報と、を格納し、前記制御部は、前記在庫管理情報を参照して、入力された物品識別情報で特定される物品の在庫の有無を検索する物品在庫検索手段と、前記物品在庫検索手段の検索によって当該物品の在庫が無いという結果が得られた場合は、当該物品の物品識別情報に基づいて前記互換品管理情報を参照して、当該物品の互換品の物品識別情報を検索する互換品情報検索手段と、前記在庫管理情報を参照して、前記互換品情報検索手段の検索によって得られた互換品の物品識別情報で特定される物品の在庫の有無を検索する互換品在庫検索手段と、を備えることを特徴とする。
【０００７】
また、本発明に係る互換品対応装置は、前記互換品対応装置において、前記互換品管理情報は、片方互換を意味する情報及び相互互換を意味する情報のいずれかが設定される互換品の互換性格情報を更に含み、前記片方互換とは、２つの物品の関係が、一方の物品の互換品は他方の物品であり且つ当該他方の物品の互換品は当該一方の物品ではないという関係にあることを意味し、前記相互互換とは、２つの物品の関係が、一方の物品の互換品は他方の物品であり且つ当該他方の物品の互換品は当該一方の物品であるという関係にあることを意味し、前記互換品情報検索手段は、前記互換品在庫検索手段の検索によって在庫が無いという結果が得られた場合は、前記互換品管理情報を参照して、当該在庫が無い物品の互換品の物品識別情報であって当該互換品の互換性格情報に前記相互互換を意味する情報が設定されているものを検索することを特徴とする。
【０００８】
また、本発明に係る互換品対応装置は、前記互換品対応装置において、前記互換性格情報は、前記片方互換を意味する情報、前記相互互換を意味する情報及び条件付互換を意味する情報のいずれかが設定されるものであり、前記条件付互換は、或る物品に対して当該或る物品と互換可能な、複数の物品の組み合わせが存在することを意味し、前記記憶部は、物品の物品識別情報と、当該物品と互換可能な、複数の物品の組み合わせを構成する各物品の物品識別情報とを含む条件付互換品管理情報を更に格納し、前記互換品情報検索手段は、前記在庫が無い物品の互換品の互換性格情報に前記条件付互換を意味する情報が設定されていた場合は、前記在庫が無い物品の物品識別情報に基づいて前記条件付互換品管理情報を参照して、当該物品と紐付く複数の物品の物品識別情報を検索することを特徴とする。
【０００９】
また、本発明に係る互換品対応装置は、前記互換品対応装置において、前記互換品管理情報は、互換品が存在する基準物品の物品識別情報と、当該基準物品を互換品としていた当該基準物品の一世代前の物品の物品識別情報及び互換性格情報と、当該基準物品の一世代後の互換品の物品識別情報及び互換性格情報と、を含むものであることを特徴とする。
【００１０】
また、本発明に係る互換品対応装置は、前記互換品対応装置において、表示部を更に備え、前記制御部は、前記互換品在庫検索手段による互換品在庫検索結果、及び、互換品在庫検索に切り替えた旨の通知を前記表示部に示す表示実行手段を更に備えることを特徴とする。
【００１１】
また、本発明に係る互換品対応装置は、前記互換品対応装置において、前記表示実行手段は、前記物品在庫検索手段による物品在庫検索結果を前記表示部に更に示すことを特徴とする。
【００１２】
また、本発明に係る互換品対応装置は、前記互換品対応装置において、前記物品は、機械の部品であることを特徴とする。
【００１３】
また、本発明に係る互換品対応方法は、制御部と記憶部とを備えた情報処理装置で実行される互換品対応方法であって、前記記憶部は、物品識別情報と当該物品識別情報で特定される物品の在庫数を含む在庫管理情報と、互換品が存在する物品の物品識別情報と当該互換品の物品識別情報とを含む互換品管理情報と、を格納し、前記制御部で実行される、前記在庫管理情報を参照して、入力された物品識別情報で特定される物品の在庫の有無を検索する物品在庫検索ステップと、前記物品在庫検索ステップによって当該物品の在庫が無いという結果が得られた場合は、当該物品の物品識別情報に基づいて前記互換品管理情報を参照して、当該物品の互換品の物品識別情報を検索する互換品情報検索ステップと、前記在庫管理情報を参照して、前記互換品情報検索ステップによって得られた互換品の物品識別情報で特定される物品の在庫の有無を検索する互換品在庫検索ステップと、を含むことを特徴とする。
【００１４】
また、本発明に係る互換品対応プログラムは、制御部と記憶部とを備えた情報処理装置に実行させるための互換品対応プログラムであって、前記記憶部は、物品識別情報と当該物品識別情報で特定される物品の在庫数を含む在庫管理情報と、互換品が存在する物品の物品識別情報と当該互換品の物品識別情報とを含む互換品管理情報と、を格納し、前記制御部に実行させるための、前記在庫管理情報を参照して、入力された物品識別情報で特定される物品の在庫の有無を検索する物品在庫検索ステップと、前記物品在庫検索ステップによって当該物品の在庫が無いという結果が得られた場合は、当該物品の物品識別情報に基づいて前記互換品管理情報を参照して、当該物品の互換品の物品識別情報を検索する互換品情報検索ステップと、前記在庫管理情報を参照して、前記互換品情報検索ステップによって得られた互換品の物品識別情報で特定される物品の在庫の有無を検索する互換品在庫検索ステップと、を含むことを特徴とする。
【発明の効果】
【００１５】
本発明によれば、物品の在庫が不足している場合に代替可能な互換品を対応させる在庫管理を実現できるという効果を奏する。
【図面の簡単な説明】
【００１６】
【図１】図１は、互換品の種類の一例を示す図である。
【図２】図２は、複数世代の互換管理の一例を示す図である。
【図３】図３は、従来の互換品運用の一例を示す図である。
【図４】図４は、本実施形態における互換品運用の一例を示す図である。
【図５】図５は、互換品対応装置の構成の一例を示すブロック図である。
【図６】図６は、互換品マスタの一例を示す図である。
【図７】図７は、条件付互換を含む互換品マスタの一例を示す図である。
【図８】図８は、代替品マスタの一例を示す図である。
【図９】図９は、互換品対応装置の処理の一例を示すフローチャートである。
【図１０】図１０は、本実施形態における互換品対応機能を使用した在庫照会の一例を示す図である。
【図１１】図１１は、本実施形態における互換品対応機能を使用した互換照会の一例を示す図である。
【図１２】図１２は、本実施形態における互換品対応機能を使用した互換照会の一例を示す図である。
【発明を実施するための形態】
【００１７】
本発明の実施形態を図面に基づいて詳細に説明する。なお、本発明は本実施形態により限定されるものではない。
【００１８】
［１．概要］
互換品とは、或る物品の代わりとして使用できる物品のことであり、機械製造業などの業界においては、或る部品の代わりとして使用できる部品のことを意味する。例えば、生産終了や不具合などの理由で使用されなくなった部品に対し、互換性のある新部品が開発されることがある。機械のメンテナンスなどで部品が必要になった際、その部品の在庫がもし存在しなければ互換性のある部品を使用することで、納期短縮や在庫回転率向上に繋がる。
【００１９】
図１は、互換品の種類の一例を示す図である。図１に示すように、代表的な互換品の種類として、片方互換、相互互換、及び条件付互換などがある。片方互換とは、部品Ａの代わりに部品Ｂが代用でき、部品Ｂの代わりに部品Ａは代用できない場合を意味する。相互互換とは、部品Ａの代わりに部品Ｂが代用でき、部品Ｂの代わりとしても部品Ａを代用できる場合を意味する。条件付互換とは、部品Ａの代わりに、部品Ｂと部品Ｃの２つの部品を組み合わせることにより代用できる場合を意味する。
【００２０】
また、或る物品に対して当該或る物品の一世代前の物品と代替可能な互換品である前互換品を意味する情報、又は、或る物品に対して当該或る物品の一世代後の物品と代替可能な互換品である後互換品を意味する情報を用いて、複数世代の互換管理が可能である。図２は、複数世代の互換管理の一例を示す図である。図２に示すように、部品Ａがなければ部品Ｂ、部品Ｂもなければ部品Ｃ…とすることで、互換品の複数世代管理にも対応できる。
【００２１】
図３は、従来の互換品運用の一例を示す図である。従来の互換品運用は、部品同士の関連性と、部品不足時の互換品への変更はシステム化されていなかった。そこで、図３に示すように、得意先からメンテナンスの依頼があるとユーザが見積入力や受注入力時に部品コード（以下、「部品ＣＤ」と略す場合がある）を入力するが、特定部品の在庫が不足していた際、代わりに使用できる部品がないかを毎回人が調べ、互換品があった場合はその在庫を再度確認し、在庫があれば代わりの部品を手入力していた。
【００２２】
次に、本実施形態における互換品運用について説明する。図４は、本実施形態における互換品運用の一例を示す図である。図４に示すように、本実施形態における互換品運用としては、ユーザが販売システムに入力した部品の在庫が不足していた場合、互換品の有無と、在庫があるかをシステムが検索し、使用可能な部品ＣＤを自動的に画面に設定する。そのために、まず、商品同士の関連性と、部品不足時の互換品への変更をシステム化する。
【００２３】
本実施形態における互換品運用は、新たな構造のマスタデータテーブル（以下、単にマスタと略す場合がある）を使用することにより、部品同士の関連性（片方互換・双方互換・条件付互換・最新部品などの情報）と部品不足時の互換品への変更を、システムに判断させることが出来る。
【００２４】
互換情報の実際のデータベースにおけるマスタの構造については後述する。メンテナンスに必要な部品Ａが入力されると、システムが部品Ａの在庫を参照する。在庫が無い場合、在庫の存在する互換品をシステムが検索する。ヒットする部品Ｂがあった場合、入力値を部品Ｂに自動切替えする。
【００２５】
部品Ａと入力すると、部品Ｂに自動で切替えるため、互換品を使用したことをユーザに通知する便利機能を搭載してもよい。例えば、互換品に切替えた旨の確認メッセージを画面に表示する。更に、元々の入力値である部品Ａも備考情報として画面に表示することができる。
【００２６】
続いて、各種互換品における対応機能について説明する。片方互換は、部品Ａを入力時に、部品Ｂに自動切替えする。部品Ｂを入力時に、部品Ａには切替えされない。相互互換は、部品Ａを入力時に、部品Ｂに自動切替えする。部品Ｂを入力時に、部品Ａに自動切替えする。条件付互換は、部品Ａを入力時に、部品Ｂと部品Ｃの２行に自動変換する。
【００２７】
本実施形態は、例えば、建機の保守メンテナンスを行っている業務におけるシステムに好適である。ユーザが入力した部品ＣＤの在庫が不足していた場合、互換品の有無と、その互換品の在庫があるかをシステムで検索して自動で互換品の部品を画面に設定する。これにより、例えば、古い部品を長期に亘って持たなくてもよくなったり、在庫全体の数を減らせたりする。なお、例えば、部品の価格（高い・安い）や製造時期（新しい・古い）、倉庫内における保管位置（奥・手前、上・下）等に関する情報を基に設定した優先順位を考慮したり、また、「先に在庫を出して欲しい」等といった要望を基に設定した在庫の優先順位を考慮したりして、互換品の検索を行ってもよい。また、互換品としての適性は、加工せずにそのまま代用可能な部品だけでなく、例えば、実現が容易な加工を行うことで代用可能となる部品なども含めてもよい。また、互換の複数世代管理にも対応することができる。
【００２８】
［２．構成］
本実施形態に係る互換品対応装置の構成の一例について、図５を参照して説明する。図５は、互換品対応装置の構成の一例を示すブロック図である。
【００２９】
互換品対応装置１００は、例えば、市販のデスクトップ型パーソナルコンピュータである。なお、互換品対応装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００３０】
互換品対応装置１００は、制御部１０２と通信インターフェース部１０４と記憶部１０６と入出力インターフェース部１０８と、を備えている。互換品対応装置１００が備えている各部は、任意の通信路を介して通信可能に接続されている。
【００３１】
通信インターフェース部１０４は、ルータ等の通信装置及び専用線等の有線又は無線の通信回線を介して、互換品対応装置１００をネットワーク３００に通信可能に接続する。通信インターフェース部１０４は、他の装置と通信回線を介してデータを通信する機能を有する。ここで、ネットワーク３００は、互換品対応装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００３２】
記憶部１０６には、部品マスタ１０６ａ、互換品マスタ１０６ｂ、代替品マスタ１０６ｃ、各種のデータベース（ＤＢ）、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。
【００３３】
部品マスタ１０６ａは、物品識別情報と当該物品識別情報で特定される物品の在庫数を含むレコードを格納する。互換品マスタ１０６ｂは、互換品が存在する物品の物品識別情報、当該互換品の物品識別情報、及び互換性格情報を含むレコードを格納する。代替品マスタ１０６ｃは、代替可能な互換品の識別情報、代替品の識別情報、及び代替数量を含むレコードを格納する。
【００３４】
本実施形態における各種互換品の対応機能として、互換性格について説明する。互換性格は、片方互換（互換品コード：Ｋ１）、相互互換（互換品コード：Ｓ１）、及び条件付互換（互換品コード：ＪＮ）がある。片方互換は、商品Ａの入力時には商品Ｂに自動切替えするが、商品Ｂの入力時には商品Ａに自動切替えしない。相互互換は、商品Ａの入力時に商品Ｂに自動切替えし、商品Ｂの入力時に商品Ａに自動切替する。そして、制御部１０２は、互換情報の前後の繋がりを管理する互換品マスタを作成する。
【００３５】
次に、互換品マスタ１０６ｂについて説明する。図６は、互換品マスタ１０６ｂの一例を示す図である。互換品マスタ１０６ｂは、記憶部１０６に格納されている。また、在庫照会時に、部品マスタ１０６ａから作成されてもよい。互換品マスタ１０６ｂは、互換性格という項目で、互換品の種類を管理（片方互換、相互互換、条件付互換）することができる。また、互換品コードという項目で、互換品の部品を管理することができる。前互換、後互換という管理をすることで、複数世代の互換管理が可能である。さらに、条件付互換の場合、別途代替品マスタにより構成部品・代替数量を管理することができる。その他の便利機能として、最新互換品コードをマスタに持たせている。
【００３６】
具体的に説明すると、互換品マスタ１０６ｂは、図６に示すように、互換品コード、前互換性格、前互換品コード、後互換性格、後互換品コード、最新互換性格、最新互換品コードの各項目を有する。なお、互換品コードは、物品を特定する物品識別情報である。具体的に説明すると、「商品Ａ」については、前互換品に対応する商品はなく、後互換品は「Ｋ１：片方互換」の「商品Ｂ」であり、最新互換品は「Ｋ１：片方互換」の「商品Ｃ」である。「商品Ｂ」については、前互換品は「Ｋ１：片方互換」の「商品Ａ」であり、後互換品は「Ｓ１：相互互換」の「商品Ｃ」であり、最新互換品は「Ｋ１：片方互換」の「商品Ｃ」である。「商品Ｃ」については、前互換品は「Ｓ１：相互互換」の「商品Ｂ」であり、後互換品に対応する商品は無く、最新互換品は「Ｋ１：片方互換」の「商品Ｃ」である。
【００３７】
なお、図６に示す互換品マスタ１０６ｂは、前互換性格及び前互換品コードで１世代前の互換情報を管理することができ、後互換性格及び後互換品コードで１世代後の互換情報を管理することができ、最新互換性格及び最新互換品コードで最新の互換情報、すなわち現在使用されている互換情報を管理することができる。つまり図６に示す互換品マスタでは、互換品の候補を管理することができる。
【００３８】
図７は、条件付互換を含む互換品マスタ１０６ｂの一例を示す図である。図７に示す互換品マスタ１０６ｂは、図６に示す互換品マスタ１０６ｂと同じ項目を有するが、互換性格として条件付互換を更に有する。具体的に説明すると、「商品Ｈ」については、前互換品に対応する商品は無く、後互換品は「Ｋ１：片方互換」の「商品Ｉ」であり、最新互換品は「ＪＮ：条件付互換」の「商品Ｊ」である。「商品Ｉ」については、前互換品は「Ｋ１：片方互換」の「商品Ｈ」であり、後互換品は「Ｓ１：相互互換」の「商品Ｊ」であり、最新互換品は「ＪＮ：条件付互換」の「商品Ｊ」である。「商品Ｊ」については、前互換品は「Ｓ１：相互互換」の「商品Ｉ」であり、後互換品は「ＪＮ：条件付互換」の複数の商品であり、最新互換品は「ＪＮ：条件付互換」の「商品Ｊ」である。
【００３９】
ここで、条件付互換（ＪＮ）が複数の商品である場合、商品Ｊを入力時に、商品Ｘと商品Ｙの２行に自動変換して代替品マスタ１０６ｃを作成する。図８は、代替品マスタ１０６ｃの一例を示す図であり、構成数量も管理することが可能である。
【００４０】
また、条件付互換は、互換品の複数世代管理にも対応できる。後互換性格が「ＪＮ：条件付互換」の場合に、互換品の繋がりが１：Ｎとなる構成情報を管理する代替品マスタを参照し、１互換品に対して複数の代替品の繋がりを持たせて管理を行うことができる。
【００４１】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。なお、以下では、出力装置１１４をモニタ１１４または画面１１４とし、入力装置１１２をキーボード１１２またはマウス１１２として記載する場合がある。
【００４２】
制御部１０２は、互換品対応装置１００を統括的に制御するＣＰＵ等である。制御部１０２は、機能概念的に、在庫検索部１０２ａ、互換品検索部１０２ｂ、及び表示実行部１０２ｃを備える。更に、制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００４３】
在庫検索部１０２ａは、部品マスタ１０６ａを参照して、入力された物品識別情報（互換品検索部１０２ｂで検索された物品識別情報を含む）で特定される在庫の物品の有無を検索する。互換品検索部１０２ｂは、在庫検索部１０２ａの検索によって当該物品の在庫が無いという結果が得られた場合は、当該物品の物品識別情報に基づいて互換品マスタ１０６ｂを参照して、当該物品の互換品の物品識別情報を検索する。表示実行部１０２ｃは、部品マスタ１０６ａを参照して、互換品検索部１０２ｂの検索によって得られた互換品の物品識別情報で特定される物品の在庫の有無を検索し、結果を画面１１４に表示させる。
【００４４】
［３．処理］
ここで、図９から図１２を参照して、本実施形態に係る互換品対応装置の処理について説明する。
【００４５】
図９は、互換品対応装置１００の処理の一例を示すフローチャートである。図９に示すように、ステップＳ１で、入力装置１１２からメンテナンスに必要な部品Ａが入力されると、ステップＳ２で、在庫検索部１０２ａは、部品マスタ１０６ａを参照して、部品Ａの在庫の有無を検索する。ステップＳ３で、部品Ａの在庫が無い場合は、ステップＳ４に進み、互換品検索部１０２ｂが互換品マスタ１０６ｂを参照して部品Ａの互換品の有無を検索し、ステップＳ５に進む。ステップＳ３で、部品Ａの在庫がある場合は、ステップＳ６に進み、表示実行部１０２ｃは検索結果を画面１１４に表示させ、終了する。ステップＳ５で、部品Ａの互換品が無い場合は、ステップＳ６に進み、表示実行部１０２ｃは検索結果を画面１１４に表示させ、終了する。ステップＳ５で、部品Ａの互換品として部品Ｂを発見した場合は、ステップＳ７に進み、在庫検索部１０２ａは部品Ａの互換品である部品Ｂを自動入力し、部品Ｂの在庫の有無を検索して、ステップＳ８に進む。ステップＳ８で、部品Ｂの在庫がある場合は、ステップＳ６に進み、表示実行部１０２ｃは検索結果を画面１１４に表示させ、終了する。ステップＳ８で、部品Ｂの在庫が無い場合は、ステップＳ４に戻り、互換品検索部１０２ｂが互換品マスタ１０６ｂを参照して、部品Ｂ以外に部品Ａの互換品の有無を検索し、上記の処理を繰り返す。
【００４６】
本実施形態では、商品同士の関連性と、商品不足時の互換品への変更をシステム化している。在庫照会時に互換を持つ商品を対象とした場合は、紐付く最新互換品を明示する。互換を持つ商品コードを指定した場合、紐付く前後の互換商品の在庫照会結果を抽出する。また、指定された商品に紐付く後互換性格が「ＪＮ：条件付互換」の場合には、代替品マスタから対象となる商品の在庫照会結果を抽出する。
【００４７】
（在庫照会）
次に、本実施形態における互換品対応機能を使用した在庫照会について説明する。在庫照会時に互換を持つ商品を対象とした場合は、紐付く最新互換品を明示する。図１０は、本実施形態における互換品対応機能を使用した在庫照会の一例を示す図である。図１０に示すように、商品コード、商品名、倉庫コード、在庫数、最新互換品コード、最新互換品名、必要個数の各項目が表示される。なお、倉庫コードは、商品の在庫がある倉庫を識別する情報である。「商品Ａ」について、「商品Ａ」の在庫数は０であるが、最新互換品として必要個数１個分の「商品Ｃ」がある。「商品Ｂ」について、「商品Ｂ」の在庫数は３であるが、最新互換品として必要個数１個分の「商品Ｃ」がある。「商品Ｃ」について、在庫数は５０であり、最新互換品として必要個数１個分の「商品Ｃ」がある。
【００４８】
このように互換品を対応させることで、「商品Ａ」のように在庫が無い場合は互換品である「商品Ｃ」を代用することができる。また、「商品Ｂ」のように在庫が有る場合も、最新互換品である「商品Ｃ」を選択することができる。更に、「商品Ｃ」のようにそれが最新の商品である場合は、最新互換品として「商品Ｃ」自体を表示させることにより、最新互換品の項目のみに着目すればよいため、在庫管理が容易になる。
【００４９】
図１１及び図１２は、本実施形態における互換品対応機能を使用した互換照会の一例を示す図である。図１１は、互換品の情報を詳細に表示しないモード１の表示例であり、図１２は、互換品に関する情報を詳細に表示するモード２の表示例である。図１０の在庫照会と同様に、商品コード、商品名、倉庫コード、在庫数、最新互換品コード、最新互換品名、必要個数の各項目が表示される。互換を持つ商品コードを指定した場合、紐付く互換商品の在庫照会結果を抽出する。また、指定された商品に紐付く後互換性格が「ＪＮ：条件付互換」で設定されている場合には、代替品マスタから対象となる商品の在庫照会結果を抽出する。
【００５０】
なお、図１１において、最新互換品コード及び最新互換品名の欄の「＊＊＊」及び「＊＊＊＊＊＊＊＊」という表示は、条件付互換という互換性格を有する互換品が存在することを意味するものである。これは、例えば、商品自体は１つであるが在庫照会には複数の互換品が存在する場合など、互換品に関する情報を詳細に表示すると煩雑になるため、あえて詳細を表示しないモードである。商品Ｊについて後互換性格が「ＪＮ：条件付き互換」で設定されており、商品Ｊの互換品として商品Ｘと商品Ｙとが存在する場合、モードを切り替えることで、図１２のように、これらの最新互換品コード及び最新互換品名を複数行に表示することができる。すなわち、商品Ｘに対応する最新互換品αと、商品Ｙに対応する最新互換品βとを、それぞれ別な行に分けて表示することができる。
【００５１】
本実施形態は、世代管理だけでなく、複数互換品の管理も可能である。また、互換品マスタで予め特定のマスタを設定出来るだけでなく、先に在庫を出す必要があるものを優先して出す機能を有してもよい。
【００５２】
本実施形態は、機械器具、自動車、電子機器などの部品の管理に好適であるが、これらに限定されるものではなく、効能効果が同じで、型番は違うが同じものを使える商品等、特に有体物であれば全てに対応可能である。例えば、代替可能な種類の多い各種消耗品、文房具、食器類、衣料品、飲食品などの管理にも広く適用可能である。また、医薬品分野における、先発医薬品と後発医薬品の管理にも適用可能である。
【００５３】
［４．他の実施形態］
本発明は、上述した実施形態以外にも、特許請求の範囲に記載した技術的思想の範囲内において種々の異なる実施形態にて実施されてよいものである。
【００５４】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５５】
また、本明細書中や図面中で示した処理手順、制御手順、具体的名称、各処理の登録データや検索条件等のパラメータを含む情報、画面例、データベース構成については、特記する場合を除いて任意に変更することができる。
【００５６】
また、互換品対応装置１００に関して、図示の各構成要素は機能概念的なものであり、必ずしも物理的に図示の如く構成されていることを要しない。
【００５７】
例えば、互換品対応装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて互換品対応装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５８】
また、このコンピュータプログラムは、互換品対応装置１００に対して任意のネットワークを介して接続されたアプリケーションプログラムサーバに記憶されていてもよく、必要に応じてその全部または一部をダウンロードすることも可能である。
【００５９】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、及び、Ｂｌｕ−ｒａｙ（登録商標）  Ｄｉｓｃ等の任意の「可搬用の物理媒体」を含むものとする。
【００６０】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順並びに読み取り後のインストール手順等については、周知の構成や手順を用いることができる。
【００６１】
記憶部に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【００６２】
また、互換品対応装置１００は、既知のパーソナルコンピュータまたはワークステーション等の情報処理装置として構成してもよく、また、任意の周辺装置が接続された当該情報処理装置として構成してもよい。また、互換品対応装置１００は、当該装置に本実施形態で説明した処理を実現させるソフトウェア（プログラムまたはデータ等を含む）を実装することにより実現してもよい。
【００６３】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６４】
本発明は、特に、機械器具、自動車、電子機器など、多くの部品から構成される製品の保守・修理義務を行う業界、代替可能な種類の多い各種消耗品、文房具、食器類、衣料品、飲食品などの業界、および、医薬品など、特定の効果を持つものを組み合わせ、製造を行う業界などにおいて有用である。
【符号の説明】
【００６５】
１００  互換品対応装置
１０２  制御部
１０２ａ  在庫検索部
１０２ｂ  互換品検索部
１０２ｃ  表示実行部
１０４  通信インターフェース部
１０６  記憶部
１０６ａ  部品マスタ
１０６ｂ  互換品マスタ
１０６ｃ  代替品マスタ
１０８  入出力インターフェース部
１１２  入力装置
１１４  出力装置
２００  サーバ
３００  ネットワーク
【図１】
2017168072.tif 000003
【図２】
2017168072.tif 000004
【図３】
2017168072.tif 000005
【図４】
2017168072.tif 000006
【図５】
2017168072.tif 000007
【図６】
2017168072.tif 000008
【図７】
2017168072.tif 000009
【図８】
2017168072.tif 000010
【図９】
2017168072.tif 000011
【図１０】
2017168072.tif 000012
【図１１】
2017168072.tif 000013
【図１２】
2017168072.tif 000014